(57)【特許請求の範囲】
【請求項１】
カメラ部で撮影された複数枚の画像情報を記憶する画像メモリと、該画像情報を表示する表示手段と、前記画像メモリ及び前記表示手段を制御する制御手段とを備えた電子スチルカメラから転送される前記画像情報を、該カメラと直接接続した印刷手段により印刷する印刷装置であって、
前記電子スチルカメラとの間で画像情報及び各種指令情報の通信を行なう通信手段と、
各種指令情報を入力する入力手段と、
この入力手段から表示指令情報が入力されると、該表示指令情報を前記通信手段により前記電子スチルカメラの制御手段に送出し、該カメラの制御手段に、前記画像メモリに記憶された複数の圧縮された画像情報を伸長して前記表示手段に選択的に表示させる第１の制御手段と、
複数の印刷フォーマットパターンを記録する印刷フォーマットパターン記憶手段と、
該印刷装置に記憶されているメニュー情報を前記通信手段により前記電子スチルカメラの制御手段に送出し、該カメラの制御手段に該メニュー情報を表示させる第２の制御手段と、
前記印刷フォーマット記憶手段に記憶されている印刷フォーマットを選択し、前記入力手段から印刷指令情報が入力されると、該印刷指令情報を前記通信手段により前記電子スチルカメラの制御手段に送出し、該制御手段に、前記表示手段に表示されている前記画像メモリの圧縮された画像情報を前記通信手段を介して出力させて、該画像情報を前記印刷手段により伸長して印刷させる第３の制御手段とを具備し、
さらに、前記入力手段から設定変更指令情報が入力されると、該設定変更指令情報を前記通信手段により前記電子スチルカメラの制御手段に送出し、前記印刷手段により印刷される画像の向きを前記表示手段上で設定変更させる第４の制御手段を備え、
前記電子スチルカメラから読み出されて該印刷装置に取り込まれた画像情報を前記第４の制御手段で設定された画像の向きで前記選択された印刷フォーマットと組み合わせて印刷するように構成し
たことを特徴する印刷装置。
【請求項２】
カメラ部で撮影された複数枚の画像情報を記憶する画像メモリと、該画像情報を表示する表示手段と、前記画像メモリ及び前記表示手段を制御する制御手段とを備えた電子スチルカメラから転送される前記画像情報を、該カメラと直接接続した印刷手段により印刷する印刷方法であって、
前記電子スチルカメラとの間で画像情報及び各種指令情報の通信を行なう通信工程と、
各種指令情報を入力する入力工程と、
この入力工程から表示指令情報が入力されると、該表示指令情報を前記通信手段により前記電子スチルカメラの制御手段に送出し、該カメラの制御手段に、前記画像メモリに記憶された複数の圧縮された画像情報を伸長して前記表示手段に選択的に表示させる第１の制御工程と、
複数の印刷フォーマットパターンを記録する印刷フォーマットパターン記憶工程と、
該印刷装置に記憶されているメニュー情報を前記通信手段により前記電子スチルカメラの制御手段に送出し、該カメラの制御手段に該メニュー情報を表示させる第２の制御工程と、
前記印刷フォーマット記憶手段に記憶されている印刷フォーマットを選択し、前記入力手段から印刷指令情報が入力されると、該印刷指令情報を前記通信手段により前記電子スチルカメラの制御手段に送出し、該制御手段に、前記表示手段に表示されている前記画像メモリの圧縮された画像情報を前記通信手段を介して出力させて、該画像情報を前記印刷手段により伸長して印刷させる第３の制御工程とを具備し、
さらに、前記入力手段から設定変更指令情報が入力されると、該設定変更指令情報を前記通信手段により前記電子スチルカメラの制御手段に送出し、前記印刷手段により印刷される画像の向きを前記表示手段上で設定変更させる第４の制御工程を備え、
前記電子スチルカメラから読み出されて該印刷装置に取り込まれた画像情報を前記第４の制御手段で設定された画像の向きで前記選択された印刷フォーマットと組み合わせて印刷するようにしたことを特徴する印刷方法。
【発明の詳細な説明】
【０００１】
【発明の属する技術分野】
本発明は、電子スチルカメラにより撮影された画像情報を取り込んで印刷する印刷装置および印刷方法に関する。
【０００２】
【従来の技術】
例えば電子スチルカメラの１つとして、撮影レンズ及びＣＣＤ（Charge Coupled Device ：固体撮像素子）を備え、さらに、画像記録時におけるビューファインダ及び画像再生時におけるモニタ兼用の液晶表示装置（Liquid Crystal Display）を備えたＬＣＤ付きデジタルスチルカメラがある。
【０００３】
従来、このような電子スチルカメラで撮影した画像データを印刷する場合には、パーソナルコンピュータ等の情報機器と連動させ、まず、通信処理用のアプリケーションソフトウエアを起動させて電子スチルカメラにて撮影された画像データを取り込む。そして、画像処理用のアプリケーションソフトを起動させ、印刷に必要な画像処理を行ない、その画像データを該情報機器に接続されているプリンタへ出力して印刷を行なっている。
【０００４】
【発明が解決しようとする課題】
しかしながら、前記従来のように、パーソナルコンピュータ等の情報機器と連動させて電子スチルカメラで撮影した画像データの印刷を行なうのでは、高価な専用ソフトウエアを準備する必要があり、しかも、カメラ側から画像データを取り込む操作やプリントを行なう操作は、連動するカメラ，情報機器，プリンタのそれぞれにわたって行なう必要があり、誰でも容易に印刷することができない問題がある。
【０００５】
本発明は、前記のような問題に鑑みなされたもので、電子スチルカメラで撮影した画像データを、誰でも簡単な操作で容易に印刷することが可能になる印刷装置および印刷方法を提供することを目的とする。
【０００６】
【課題を解決するための手段】
本発明は、上記事情に鑑みて成されたもので、カメラ部で撮影された複数枚の画像情報を記憶する画像メモリと、該画像情報を表示する表示手段と、前記画像メモリ及び前記表示手段を制御する制御手段とを備えた電子スチルカメラから転送される前記画像情報を、該カメラと直接接続した印刷手段により印刷する印刷装置であって、前記電子スチルカメラとの間で画像情報及び各種指令情報の通信を行なう通信手段と各種指令情報を入力する入力手段と、この入力手段から表示指令情報が入力されると、該表示指令情報を前記通信手段により前記電子スチルカメラの制御手段に送出し、該カメラの制御手段に、前記画像メモリに記憶された複数の圧縮された画像情報を伸長して前記表示手段に選択的に表示させる第１の制御手段と、複数の印刷フォーマットパターンを記録する印刷フォーマットパターン記憶手段と、該印刷装置に記憶されているメニュー情報を前記通信手段により前記電子スチルカメラの制御手段に送出し、該カメラの制御手段に該メニュー情報を表示させる第２の制御手段と、前記印刷フォーマット記憶手段に記憶されている印刷フォーマットを選択し、前記入力手段から印刷指令情報が入力されると、該印刷指令情報を前記通信手段により前記電子スチルカメラの制御手段に送出し、該制御手段に、前記表示手段に表示されている前記画像メモリの圧縮された画像情報を前記通信手段を介して出力させて、該画像情報を前記印刷手段により伸長して印刷させる第３の制御手段とを具備し、さらに、前記入力手段から設定変更指令情報が入力されると、該設定変更指令情報を前記通信手段により前記電子スチルカメラの制御手段に送出し、前記印刷手段により印刷される画像の向きを前記表示手段上で設定変更させる第４の制御手段を備え、前記電子スチルカメラから読み出されて該印刷装置に取り込まれた画像情報を前記第４の制御手段で設定された画像の向きで前記選択された印刷フォーマットと組み合わせて印刷するように構成したことを特徴する印刷装置を提供するものである。
【０００７】
また、本発明は、カメラ部で撮影された複数枚の画像情報を記憶する画像メモリと、該画像情報を表示する表示手段と、前記画像メモリ及び前記表示手段を制御する制御手段とを備えた電子スチルカメラから転送される前記画像情報を、該カメラと直接接続した印刷手段により印刷する印刷方法であって、前記電子スチルカメラとの間で画像情報及び各種指令情報の通信を行なう通信工程と各種指令情報を入力する入力工程と、この入力手段から表示指令情報が入力されると、該表示指令情報を前記通信手段により前記電子スチルカメラの制御手段に送出し、該カメラの制御手段に、前記画像メモリに記憶された複数の圧縮された画像情報を伸長して前記表示手段に選択的に表示させる第１の制御工程と、複数の印刷フォーマットパターンを記録する印刷フォーマットパターン記憶工程と、該印刷装置に記憶されているメニュー情報を前記通信手段により前記電子スチルカメラの制御手段に送出し、該カメラの制御手段に該メニュー情報を表示させる第２の制御工程と、前記印刷フォーマット記憶手段に記憶されている印刷フォーマットを選択し、前記入力手段から印刷指令情報が入力されると、該印刷指令情報を前記通信手段により前記電子スチルカメラの制御手段に送出し、該制御手段に、前記表示手段に表示されている前記画像メモリの圧縮された画像情報を前記通信手段を介して出力させて、該画像情報を前記印刷手段により伸長して印刷させる第３の制御工程とを具備し、さらに、前記入力手段から設定変更指令情報が入力されると、該設定変更指令情報を前記通信手段により前記電子スチルカメラの制御手段に送出し、前記印刷手段により印刷される画像の向きを前記表示手段上で設定変更させる第４の制御工程を備え、前記電子スチルカメラから読み出されて該印刷装置に取り込まれた画像情報を前記第４の制御手段で設定された画像の向きで前記選択された印刷フォーマットと組み合わせて印刷するようにしたことを特徴する印刷方法を提供するものである。
【００１０】
【発明の実施の形態】
以下図面により本発明の実施の形態について説明する。
図１は本発明の印刷装置の実施形態に係わるＬＣＤ付きデジタルスチルカメラとデジタルカメラ用プリンタの外観構成を示す図である。
【００１１】
ＬＣＤ付きデジタルスチルカメラ１０は、本体部１１とカメラ部１２とに分割された２つのブロックから構成される。
本体部１１の後側面には、ＬＣＤ１３が設けられる。
【００１２】
このＬＣＤ１３は、画像の撮影時には被写体を表示するビューファインダとして機能し、画像再生時には撮影した画像データを表示するモニタとして機能するもので、このＬＣＤ１３の横には、画像撮影モード（ＲＥＣ）と画像再生モード（ＰＬＡＹ）とを切り替えるためのファンクション切り替えキー１４が設けられる。
【００１３】
また、本体部１１の上側面には、電源のＯＮ／ＯＦＦを行なうための電源スイッチ１５、画像撮影モードにおいてＬＣＤ１３に表示された被写体を撮影するためのシャッタボタン１６、画像再生モードにおいてＬＣＤ１３に表示される画像データを選択するための“＋”キー１７ａ，“−”キー１７ｂ、そして、画像データの入出力及び各種指令信号の入出力を行なうための通信端子１８が設けられる。
【００１４】
また、カメラ部１２には、図示しない表側面に、標準レンズと接写レンズとが切り替え可能に設けられ、図示しない左側面に、標準と接写の２つの撮影モードを切り替えるための撮影モード切り替えスイッチが設けられる。
【００１５】
そして、このカメラ部１２は、本体部１１に対して前方に９０°，後方に１８０°回転可能に組み付けられる。
一方、プリンタ２０の上側面には、記録紙確認窓２１が設けられると共に、電源のＯＮ／ＯＦＦを行なうための電源キー２２、メニュー画面上でのメニューデータの選択や印刷すべき画像データの選択を行なうための“＋”キー２３ａ，“−”キー２３ｂ、印刷対象として選択された画像データの確定を行なうためのセットキー２４、縦向きで撮影された画像データの上下方向を変更設定するための方向切り換えキー２５、標準印刷／葉書印刷／カレンダ印刷の印刷メニューを選択するメニュー画面を表示させるためのメニューキー２６、画像データの印刷開始を指示するためのプリントキー２７が設けられると共に、画像データの入出力及び各種指令信号の入出力を行なうための通信端子２８が設けられる。
【００１６】
また、プリンタ２０の右側面には、プリントされた記録紙Ｘを排出するためのプリント排出口３０が設けられる。
前記デジタルスチルカメラ１０とプリンタ２０との各通信端子１８，２８間は、通信ケーブル２９を介して接続される。
【００１７】
図２は前記ＬＣＤ付きデジタルスチルカメラとデジタルカメラ用プリンタそれぞれの電子回路の構成を示すブロック図である。
ＬＣＤ付きデジタルスチルカメラ１０の電子回路は、画像信号を電気信号に変換するＣＣＤ３１、アナログ信号をデジタル信号に変換するＡ／Ｄ変換器３２、ＣＣＤ３１を駆動する駆動回路３４を制御するタイミング信号を発生するタイミング・ジェネレータ３３、デジタル画像信号を符号化／復号化により圧縮／伸張処理する圧縮／伸張回路３５、取り込んだデジタル画像信号を一時記憶するＤＲＡＭ５６、圧縮された画像信号を格納するフラッシュ・メモリ３７、ＤＲＡＭ３６及びフラッシュメモリ３７に対する書き込み／読み出しアドレスを制御するメモリ制御回路３８、ＲＯＭ３９に記憶されているシステムプログラムに基づいて動作すると共にＲＡＭ４０をワークＲＡＭとして使用し、キー入力部４１からの入力に基づいて制御動作するＣＰＵ４２、デジタル画像信号に同期信号を付加してデジタルビデオ信号を生成するシグナル・ジェネレータ４３、デジタルビデオ信号を記憶するＶＲＡＭ４４、シグナル・ジェネレータ４３から出力されたデジタルビデオ信号をアナログ信号に変換するＤ／Ａ変換器４５、変換されたアナログビデオ信号に基づいて液晶を駆動して画像を表示するＬＣＤ１３、ＣＰＵ４２でシリアルデータに変換された画像データのデジタルカメラ用プリンタ２０への出力や該デジタルカメラ用プリンタ２０からの各種指令信号の入力を行なうＩ／Ｏインターフェイス４６から構成される。
【００１８】
しかして、このように構成したＬＣＤ付デジタルスチルカメラでは、所定周期でタイミング・ジェネレータ３３からタイミング信号が出力されて駆動回路３４が制御され、ＣＣＤ３１により結像された被写体像に対応する撮像信号が取り込まれ、Ａ／Ｄ変換器３２によりアナログ信号がデジタル信号に変換されてデジタル画像信号としてＤＲＡＭ３６に一時記憶される。
【００１９】
この場合、ＤＲＡＭ３６に記憶されたＣＣＤ３１からの撮像信号は、ＣＣＤ３１のカラーフィルタを通ってきたもので、例えばＹｅ、Ｃｙ、Ｇｒといった色成分を持っている。
【００２０】
そして、ＣＰＵ４２によりＤＲＡＭ３６に記憶された撮像信号に基づいて、高速モードの画像処理によるモニタのビデオスルー表示用の画像信号及び高画質モードの画像処理による画像記録のための画像信号が生成される。
【００２１】
この場合、まず、情報量を落とした輝度信号生成処理が実行される。
輝度信号の生成は、ＤＲＡＭ３６より読み出された信号のＹｅ、Ｃｙ、Ｇｒ成分の内、例えばＹｅ成分のみを用いて生成するものであり、ＤＲＡＭ３６に記憶されている撮像信号の画素をまびき、該当信号と該当信号両側からの合計３画素のＹｅ成分データに対してＬＰＦからなるプリフィルタをかけ、γ補正（輝度と画像表示装置の特性がリニアでないため、予め輝度と画像表示装置の特性と逆の補正を行っておき、画像表示装置に表示するときにリニアになるようにする。）をかけて輝度信号を生成する。
【００２２】
そして、画質を落とした輝度信号に対応した色信号生成処理が実行される。
色信号の生成は、ＤＲＡＭ３６から読み出されたＹｅ、Ｃｙ、Ｇｒ成分の信号を１／６にまびき、該当信号とこの該当信号両側からの合計６画素のデータを生成してプリフィルタをかける。そして、ここでプリフィルタをかけたＹｅ、Ｃｙ、Ｇｒ成分の信号について、ホワイトバランス（色フィルタのバラツキによる色信号のバラツキを補正するものであり、白色が白色になるように補正する。）をかけ、色演算を行いＲ−Ｙ、Ｂ−Ｙという色信号を生成する。
【００２３】
すると、前記生成された輝度信号と色信号がシグナル・ジェネレータ４３に転送されてビデオ信号に変換され、ＬＣＤ１３に対しモニタとしてビデオスルー表示される。
【００２４】
次に、キー入力部４１からシャッタボタン１６による操作信号が入力されると、高画質の輝度信号生成処理が実行される。
この場合、輝度信号の生成は、ＤＲＡＭ３６から読み出された信号について、まず、該当信号と該当信号両側からの合計７画素のデータを生成してプリフィルタをかけ、γ補正をかけ、モアレバランスをとる。このモアレバランスによって色フィルタのバラツキによる輝度信号のバラツキが補正される。
【００２５】
そして、ＬＰＦをかけることにより高域成分のノイズが低減されたのち、エンハンサ処理が施され輝度信号が生成される。
そして、高画質の輝度信号に対応する色信号生成処理が実行される。
【００２６】
この場合、色信号の生成は、ＤＲＡＭ３６より読み出されたＹｅ、Ｃｙ、Ｇｒ成分の信号について、該当信号とこの該当信号両側からの合計１２画素のデータに対してプリフィルタがかけられる。そして、ここでプリフィルタがかけられたＹｅ、Ｃｙ、Ｇｒ成分の信号について、ホワイトバランスがかけられ、色演算が行なわれＲ−Ｙ、Ｂ−Ｙという色信号が生成される。
【００２７】
次に、生成した輝度信号と色信号が圧縮／伸長回路３５に転送され、この圧縮／伸長回路３５により輝度信号と色信号が符号化されて圧縮され、この圧縮画像信号（輝度信号および色信号）がフラッシュ・メモリ３７に転送されて記録される。
【００２８】
一方、画像信号の再生時は、キー入力部４１におけるファンクション切り替えキー１８の操作により画像再生モードへの切り替え信号が入力されると、フラッシュメモリ３７より所定の圧縮画像信号（圧縮輝度信号と色信号）が読み出され、圧縮／伸長回路３５に転送される。
【００２９】
すると、これら輝度信号と色信号が伸長され、シグナル・ジェネレータ４３により同期信号が付加されてデジタルビデオ信号が生成され、Ｄ／Ａ変換器４５を介してＬＣＤ１３にて表示される。
【００３０】
この場合、キー入力部４１における“＋”キー１７ａ，“−”キー１７ｂの操作に応じて、フラッシュ・メモリ３７から読み出される圧縮画像信号が切り替えられ、ＬＣＤ１３に表示される画像データが選択される。
【００３１】
一方、デジタルカメラ用プリンタ２０の電子回路は、ＲＯＭ５３に記憶されているシステムプログラムに基づいて動作すると共にＲＡＭ５４をワークＲＡＭとして使用し、キー入力部５２からの入力に基づいて制御動作するＣＰＵ５１、キー入力部５２からの信号に応じてＣＰＵ５１により得られる各種指令信号のデジタルスチルカメラ１０への出力や該デジタルスチルカメラ１０からの画像データの入力を行なうＩ／Ｏインターフェイス５５、現在の年月日時刻を計時する時計回路５６、ＣＰＵ５１に入出力される画像信号の同期を図るためのタイミング信号を出力するタイミング・ジェネレータ５７、Ｉ／Ｏインターフェイス５５を介して入力された圧縮画像データが記憶される画像メモリ５８、画像メモリ５８から読み出された圧縮画像を復号化して伸張処理する伸張回路５９、伸張回路５９により伸張処理された画像データを印刷データとして記憶する印刷バッファ６０、印刷バッファ６０に記憶された印刷データに対応する画像データを記録紙Ｘに印刷出力するカラープリンタ部６１から構成される。
【００３２】
また、前記ＲＡＭ５４には、メニュー表示モードにおいて“０”，標準印刷モードにおいて“１”，葉書印刷モードにおいて“２”，カレンダ印刷モードにおいて“３”にセットされるモードデータレジスタ（Ｍ）５４ａ、メニュー画面にて選択指定された印刷メニュー応じたフラグデータが標準印刷で“１”，葉書印刷で“２”，カレンダ印刷で“３”としてセットされるメニュー選択レジスタ（Ｋ）５４ｂ、横撮影された画像データをそのまま印刷する際に“０”，デジタルスチルカメラ１０の上下左右を基準とする撮影画像データの右側を上方として印刷する際に“１”，左側を上方として印刷する際に“２”にセットさせる印刷方向設定レジスタ（Ｐ）５４ｃが備えられる。
【００３３】
また、前記ＲＯＭ５３には、各種のシステムプログラム以外に、印刷する画像データのフォーマットを設定するためのフォーマットパターンデータも予め記憶される。
【００３４】
図３は前記デジタルカメラ用プリンタのＲＯＭ５３に予め記憶されている印刷フォーマットパターンを示す図であり、同図（Ａ）は葉書印刷用のフォーマットパターンを示す図、同図（Ｂ）はカレンダ印刷用のフォーマットパターンを示す図である。
【００３５】
前記図３（Ａ）に示す、葉書印刷用のフォーマットパターンは、画像データの横置き合成エリアＡ１と罫線プリントエリアＡ２の上下組み合わせからなっており、前記カレンダ印刷用のフォーマットパターンは、画像データの縦置き合成エリアＡ１とカレンダプリントエリアＡ３の左右組み合わせからなっている。
【００３６】
すなわち、デジタルカメラ用プリンタ２０からの指令によりデジタルスチルカメラ１０のフラッシュ・メモリ３７から読み出されてＩ／Ｏインターフェイス４６→５５を介して取り込まれた圧縮画像データは、一旦、画像メモリ５８に記憶された後、伸張回路５９により復号化されて伸張処理され、ＲＡＭ５４内のモードデータレジスタ（Ｍ）５４ａにて指定されている印刷モードに対応するＲＯＭ５３内の印刷フォーマットパターンと組み合わされて印刷バッファ６０に展開記憶され、カラープリンタ部６１によって印刷出力される。
【００３７】
この場合、カレンダ印刷用フォーマットパターンに対する日付データは、時計回路５６により計時されている現在の年月日，曜日に基づき配列処理されて前記カレンダプリントエリアＡ３に合成される。
【００３８】
次に、前記構成によるデジタルカメラ用プリンタ２０による画像データの印刷動作について説明する。
図４は前記デジタルカメラ用プリンタ２０による画像データの印刷処理を示すフローチャートである。
【００３９】
ＬＣＤ付きデジタルスチルカメラ１０にて所望の被写体の撮影を行ない、そのそれぞれの圧縮画像データがフラッシュ・メモリ３７に記憶されている状態で、該デジタルスチルカメラ１０の通信端子１８とデジタルカメラ用プリンタ２０の通信端子２８とを通信ケーブル２９により接続し、該プリンタ２０のＯＮキー２２を操作すると、ＲＡＭ５４内のモードデータレジスタ５４ａのモードフラグＭが“０”に初期セットされると共に、メニュー選択レジスタ５４ｂの印刷メニューフラグＫが“１”に初期セットされる（ステップＳ１→Ｓ２，Ｓ３）。
【００４０】
すると、プリンタ２０のＲＯＭ５３に予め記憶されている印刷メニューを選択するためのメニュー画面データがＣＰＵ５１に読み出され、メニュー表示指令信号と共に、Ｉ／Ｏインターフェイス５５を介して通信ケーブル２９に出力され、デジタルスチルカメラ１０へ転送される（ステップＳ４）。
【００４１】
前記プリンタ２０からのメニュー画面データ及びメニュー表示指令信号がデジタルスチルカメラ１０のＣＰＵ４２に転送されると、当該メニュー画面に対応するビデオ信号がシグナル・ジェネレータ４３により生成され、Ｄ／Ａ変換器４５を介してＬＣＤ１３に表示される（ステップＳ５）。
【００４２】
こうして、デジタルスチルカメラ１０のＬＣＤ１３に対して、印刷メニュー画面が表示された状態で、プリンタ２０のキー入力部５２における“＋”キー１３ａ又は“−”キー２３ｂを操作すると、ＲＡＭ５４内のモードデータレジスタ５４ａに記憶されているモードフラグＭが“０”か否か、つまり、メニュー表示モードか否か判断される（ステップＳ６→Ｓ７）。
【００４３】
このステップＳ７において、ＲＡＭ５４内のモードフラグレジスタ５４ａに記憶されているモードフラグＭは“０”でありメニュー表示モードであると判断されると、ＲＡＭ５４内のメニュー選択レジスタ５４ｂにセットされているメニュー選択フラグＫが前記“＋”キー２３ａが操作された場合は（＋１）されてインクリメントされ、“−”キー２３ｂが操作された場合は（−１）されてディクリメントされる（ステップＳ７→Ｓ８）。
【００４４】
すると、前記ＲＡＭ５４内のメニュー選択レジスタ５４ｂにおけるメニュー選択フラグＫの変化に応じて、ＣＰＵ５１からカーソル移動指令信号が出力され、Ｉ／Ｏインターフェイス５５を介してデジタルスチルカメラ１０へ転送される（ステップＳ９）。
【００４５】
すると、デジタルスチルカメラ１０では、そのＬＣＤ１３に表示されているメニュー画面上で印刷メニューを示すカーソルが移動表示され、前記プリンタ２０の“＋”キー２３ａ，“−”キー２３ｂの操作に応じた標準印刷／葉書印刷／カレンダ印刷の何れかの印刷メニューが任意に選択される（ステップＳ１０）。
【００４６】
例えば前記メニュー画面上でのカーソル移動操作により、カレンダ印刷メニューが選択指定され、前記プリンタ２０のＲＡＭ５４内のメニュー選択レジスタ５４ｂにメニュー選択フラグＫ“３”がセットされた状態で、プリンタ２０のキー入力部５２におけるセットキー２４を操作すると、モードデータレジスタ５４ａのモードフラグＭがメニュー表示モードであることを示す“０”であると判断され、前記メニュー選択フラグＫ“３”に応じて前記モードフラグＭもカレンダ印刷モードを示す“３”にセットされる（ステップＳ１３→Ｓ１４→Ｓ１５）。
【００４７】
すると、プリンタ２０のＣＰＵ５１から第１画像の読み出し指令信号が出力され、Ｉ／Ｏインターフェイス５５を介してデジタルスチルカメラ１０へ転送される（ステップＳ１６）。
【００４８】
すると、デジタルスチルカメラ１０のフラッシュ・メモリ３７に記憶されている先頭の圧縮画像データが読み出されて圧縮・伸張回路３５にて伸張処理され、シグナル・ジェネレータ４３にてビデオ信号に変換された後、Ｄ／Ａ変換器４５を介してＬＣＤ１３に表示される（ステップＳ１７）。
【００４９】
こうして、デジタルスチルカメラ１０にて撮影されてフラッシュ・メモリ３７に記憶されている画像データがＬＣＤ１３に表示された状態で、プリンタ２０のキー入力部５２における“＋”キー２３ａ又は“−”キー２３ｂを操作すると、ＲＡＭ５４内のモードデータレジスタＭにメニュー表示モード“０”以外の印刷モードの何れかを示すフラグ“１”又は“２”又は“３”がセットされていると判断されることで、ＣＰＵ５１から画像切り替え指令信号が出力され、Ｉ／Ｏインターフェイス５５を介してデジタルスチルカメラ１０に転送される（ステップＳ６→Ｓ７→Ｓ１１）。
【００５０】
すると、デジタルスチルカメラ１０のフラッシュ・メモリ３７から読み出されてＬＣＤ１３に表示されている画像データが、前記プリンタ２０における“＋”キー２３ａ，“−”キー２３ｂの操作に応じて切り替えられて表示され、ユーザ所望の撮影画像が選択表示される（ステップＳ１２）。
【００５１】
このように、プリンタ２０における“＋”キー２３ａ，“−”キー２３ｂの操作によりデジタルスチルカメラ１０のフラッシュ・メモリ３７に記憶されている撮影画像データが任意に選択されて表示された状態で、方向切り換えキー２５を操作すると、ＲＡＭ５４内の印刷方向設定レジスタ５４ｃにセットされている印刷方向フラグＰが“０”“１”“２”の何れであるか判断される（ステップＳ１８→Ｓ１９）。
【００５２】
図５は前記デジタルカメラ用プリンタ２０による画像データの印刷処理に伴なう印刷方向切り換え表示状態を示す図である。
図６は前記デジタルカメラ用プリンタ２０による画像データの印刷処理に伴なうカレンダ合成印刷状態を示す図である。
【００５３】
ここで、例えば図５（Ａ）に示すように、デジタルスチルカメラ２０で縦撮りした画像データがＬＣＤ１３に選択表示された状態で、前記ＲＡＭ５４内の印刷方向設定レジスタ５４ｃにセットされている印刷方向フラグＰが“０”であると判断された場合、つまり、選択表示中の画像データをそのまま横方向の画像データとして印刷する状態にあると判断された場合には、前記方向切り換えキー２５の操作に応じて前記印刷方向フラグＰは“１”に切り換えセットされ、ＣＰＵ５１から画像の右を上方として指示する表示データが出力され、Ｉ／Ｏインターフェイス５５を介してデジタルスチルカメラ１０へ転送される（ステップＳ１９→Ｓ２０，Ｓ２１）。
【００５４】
すると、デジタルスチルカメラ１０のＬＣＤ１３に表示されている画像データには、図５（Ａ）に示すように、その右側を印刷方向の上方として示す印刷方向指示マークｍが合成されて表示される（ステップＳ２２）。
【００５５】
ここで、前記プリンタ２０のキー入力部５２における方向切り換えキー２５をもう１度操作すると、現在の印刷方向フラグＰが“１”であると判断されることで、当該印刷方向フラグＰは“２”に切り換えセットされ、ＣＰＵ５１から画像の左を上方として指示する表示データが出力され、Ｉ／Ｏインターフェイス５５を介してデジタルスチルカメラ１０へ転送される（ステップＳ１８→Ｓ１９→Ｓ２３，Ｓ２４）。
【００５６】
すると、デジタルスチルカメラ１０のＬＣＤ１３に表示されている画像データには、図５（Ｂ）に示すように、その左側を印刷方向の上方として示す印刷方向指示マークｍが合成されて表示される（ステップＳ２２）。
【００５７】
ここで、前記プリンタ２０のキー入力部５２における方向切り換えキー２５をさらにもう１度操作すると、現在の印刷方向フラグＰが“２”であると判断されることで、当該印刷方向フラグＰは“０”に切り換えセットされ、デジタルスチルカメラ１０のＬＣＤ１３に画像データに合成されて表示されている印刷方向指示マークｍが消去され、選択表示中の画像データをそのまま横方向の画像データとして印刷する状態に切り換えられる（ステップＳ１８→Ｓ１９→Ｓ２５）。
【００５８】
そして、例えばプリンタ２０のＲＡＭ５４内のモードデータレジスタ５４ａにモードフラグＭ＝“３”、メニュー選択レジスタ５４ｂにメニュー選択フラグＫ＝“３”、印刷方向設定レジスタ５４ｃに印刷方向フラグＰ＝“１”がセットされている、カレンダ印刷モードでの、例えば図５（Ａ）で示したような、その右側を印刷の上方とする印刷方向マークｍが表示されている画像データの選択表示状態において、プリンタ２０のキー入力部５２におけるプリントキー２７を操作すると、ＣＰＵ５１から印刷指令信号が出力されＩ／Ｏインターフェイス５５を介してデジタルスチルカメラ１０へ転送される（ステップＳ３２→Ｓ３３）。
【００５９】
すると、デジタルスチルカメラ１０にてフラッシュ・メモリ３７から読み出されてＬＣＤ１３に選択表示されている画像データが、ＣＰＵ４２からＩ／Ｏインターフェイス４６を介してプリンタ２０へ転送され、該プリンタ２０の画像メモリ５８に記憶される（ステップＳ３４，Ｓ３５）。
【００６０】
すると、前記画像メモリ５８にに記憶された画像データは、伸張回路６０により伸張処理されると共に、ＲＡＭ５４内のモードデータレジスタ５４ａのモードフラグＭ＝“３”に従ってＲＯＭ５３に記憶されているカレンダ印刷用のフォーマットパターン［図３（Ｂ）参照］が読み出されて印刷データとして合成され印刷バッファ６０に記憶される（ステップＳ３６，Ｓ３７）。
【００６１】
この場合、前記モードデータレジスタ５４ａのモードフラグＭ＝“３”に従ってＲＯＭ５３から読み出されたカレンダ印刷用のフォーマットパターンに対しては、伸張回路５９により伸張処理された画像データが、前記印刷方向設定レジスタ５４ｃの印刷方向フラグＰ＝“１”に従って、該画像の右を上方として前記フォーマットパターンの縦置き合成エリアＡ１に合成され、また、時計回路５６により得られる現在の年月日，曜日に従って前記フォーマットパターンのカレンダプリントエリアＡ３に日付データが配列合成される。
【００６２】
これにより、印刷バッファ６０に作成記憶された選択画像データとカレンダ印刷用のフォーマットパターンとの合成印刷データがカラープリンタ部６１に出力され、図６に示すように印刷され、プリンタ２０のプリント排出口３０から外部に排出される（ステップＳ３８）。
【００６３】
一方、プリンタ２０のキー入力部５２におけるメニューキー２６を操作すると、ＲＡＭ５４内のモードデータレジスタ５４ａに“０”以外のモードフラグＭがセットされているか、つまり、標準印刷／葉書印刷／カレンダ印刷のうちの何れかの印刷モードの設定状態であると判断されると、前記モードフラグＭが“０”にリセットされると共に、メニュー選択レジスタ５４ｂの印刷メニューフラグＫも“１”にリセットされる（ステップＳ２６→Ｓ２７→Ｓ２８，Ｓ２９）。
【００６４】
すると、プリンタ２０のＲＯＭ５３に予め記憶されている印刷メニューを選択するためのメニュー画面データが再びＣＰＵ５１に読み出され、メニュー表示指令信号と共に、Ｉ／Ｏインターフェイス５５を介して通信ケーブル２９に出力され、デジタルスチルカメラ１０へ転送される（ステップＳ３０）。
【００６５】
すると、デジタルスチルカメラ１０では、プリンタ２０から転送されたメニュー画面に対応するビデオ信号がシグナル・ジェネレータ４３により生成され、Ｄ／Ａ変換器４５を介してＬＣＤ１３に印刷メニューが再表示される（ステップＳ３１）。
【００６６】
なお、プリンタ２０のキー入力部５２におけるキー操作信号が全く入力されず、また、ＣＰＵ５１により何等の制御動作も行なわれない状態が連続した場合には、当該プリンタ２０の電源は遮断される（ステップＳ３９）。
【００６７】
したがって、前記構成のデジタルカメラ用プリンタ２０によれば、プリンタ２０のＯＮキー２２を操作すると、メニュー画面データとメニュー表示指令信号がデジタルスチルカメラ１０に転送されてそのＬＣＤ１３に印刷メニュー画面が表示され、“＋”キー２３ａ，“−”キー２３ｂを操作すると、カーソル移動指令信号がデジタルスチルカメラ１０に転送されて前記印刷メニュー画面上のカーソルが移動されて任意の印刷メニューが選択指定され、セットキー２４を操作すると、画像読み出し指令信号がデジタルスチルカメラ１０に転送されて既に撮影記憶されている画像データが読み出されてＬＣＤ１３に対し表示され、前記“＋”キー２３ａ，“−”キー２３ｂを操作すると、画像切り替え指令信号がデジタルスチルカメラ１０に転送されて画像データが選択的に切り替え表示され、方向切り換えキー２５を操作すると印刷方向を設定するデータがデジタルスチルカメラ１０に転送されてＬＣＤ１３の画像表示画面上にマーク表示され、プリントキー２７を操作すると、デジタルスチルカメラ１０への印刷指令信号によりＬＣＤ１３に表示されている画像データが該カメラ１０から読み出されてプリンタ２０に取り込まれ、設定された印刷モード及び印刷方向に対応して記録紙Ｘにカラー印刷されて排出されるので、全てプリンタ２０側における単純明快なキー操作により、カメラ１０における撮影画像データを選択表示させプリントできるようになる。
【００６８】
【発明の効果】
本発明によれば、カメラ部で撮影された複数枚の画像情報を記憶する画像メモリと、該画像情報を表示する表示手段と、前記画像メモリ及び前記表示手段を制御する制御手段とを備えた電子スチルカメラから転送される前記画像情報を、該カメラと直接接続した印刷手段により印刷する印刷装置であって、前記電子スチルカメラとの間で画像情報及び各種指令情報の通信を行なう通信手段と各種指令情報を入力する入力手段と、この入力手段から表示指令情報が入力されると、該表示指令情報を前記通信手段により前記電子スチルカメラの制御手段に送出し、該カメラの制御手段に、前記画像メモリに記憶された複数の圧縮された画像情報を伸長して前記表示手段に選択的に表示させる第１の制御手段と、複数の印刷フォーマットパターンを記録する印刷フォーマットパターン記憶手段と、該印刷装置に記憶されているメニュー情報を前記通信手段により前記電子スチルカメラの制御手段に送出し、該カメラの制御手段に該メニュー情報を表示させる第２の制御手段と、前記印刷フォーマット記憶手段に記憶されている印刷フォーマットを選択し、前記入力手段から印刷指令情報が入力されると、該印刷指令情報を前記通信手段により前記電子スチルカメラの制御手段に送出し、該制御手段に、前記表示手段に表示されている前記画像メモリの圧縮された画像情報を前記通信手段を介して出力させて、該画像情報を前記印刷手段により伸長して印刷させる第３の制御手段とを具備し、さらに、前記入力手段から設定変更指令情報が入力されると、該設定変更指令情報を前記通信手段により前記電子スチルカメラの制御手段に送出し、前記印刷手段により印刷される画像の向きを前記表示手段上で設定変更させる第４の制御手段を備え、前記電子スチルカメラから読み出されて該印刷装置に取り込まれた画像情報を前記第４の制御手段で設定された画像の向きで前記選択された印刷フォーマットと組み合わせて印刷するように構成したことを特徴する印刷装置を提供することにより、電子スチルカメラで撮影した画像を誰でも簡単な操作で容易に印刷できる。
【図面の簡単な説明】
【図１】本発明の印刷装置の実施形態に係わるＬＣＤ付きデジタルスチルカメラとデジタルカメラ用プリンタの外観構成を示す図。
【図２】前記ＬＣＤ付きデジタルスチルカメラとデジタルカメラ用プリンタそれぞれの電子回路の構成を示すブロック図。
【図３】前記デジタルカメラ用プリンタのＲＯＭに予め記憶されている印刷フォーマットパターンを示す図であり、同図（Ａ）は葉書印刷用のフォーマットパターンを示す図、同図（Ｂ）はカレンダ印刷用のフォーマットパターンを示す図。
【図４】前記デジタルカメラ用プリンタによる画像データの印刷処理を示すフローチャート。
【図５】前記デジタルカメラ用プリンタによる画像データの印刷処理に伴なう印刷方向切り換え表示状態を示す図。
【図６】前記デジタルカメラ用プリンタによる画像データの印刷処理に伴なうカレンダ合成印刷状態を示す図。
【符号の説明】
１０  …ＬＣＤ付きデジタルスチルカメラ、
１１  …本体部、
１２  …カメラ部、
１３  …ＬＣＤ（液晶表示装置）、
１４  …ファンクション切り替えキー、
１５  …カメラＯＮキー、
１６  …シャッタボタン、
１８  …対プリンタ通信端子、
２０  …デジタルカメラ用プリンタ、
２１  …記録紙確認窓、
２２  …プリンタＯＮキー、
２３ａ…“＋”キー、
２３ｂ…“−”キー、
２４  …セットキー、
２５  …方向切り換えキー、
２６  …メニューキー、
２７  …プリントキー、
２８  …対カメラ通信端子、
２９  …通信ケーブル、
３０  …プリント排出口、
３１  …ＣＣＤ（固体撮像素子）、
３５  …圧縮・伸張回路、
３６  …ＤＲＡＭ、
３７  …フラッシュ・メモリ、
３８  …メモリ制御回路、
３９  …カメラＲＯＭ、
４０  …カメラＲＡＭ、
４１  …カメラキー入力部、
４２  …カメラＣＰＵ、
４４  …ＶＲＡＭ、
４６  …対プリンタＩ／Ｏインターフェイス、
５１  …プリンタＣＰＵ、
５２  …プリンタキー入力部、
５３  …プリンタＲＯＭ、
５４  …プリンタＲＡＭ、
５４ａ…モードデータレジスタ（Ｍ）、
５４ｂ…メニュー選択レジスタ（Ｋ）、
５４ｃ…印刷方向設定レジスタ（Ｐ）、
５５  …対カメラＩ／Ｏインターフェイス、
５６  …時計回路、
５８  …画像メモリ、
５９  …伸張回路、
６０  …印刷バッファ、
６１  …カラープリンタ部、
ｍ  …印刷方向指示マーク。
【図１】
0003757469.tif 000002
【図２】
0003757469.tif 000003
【図３】
0003757469.tif 000004
【図４】
0003757469.tif 000005
【図５】
0003757469.tif 000006
【図６】
0003757469.tif 000007